(57)【特許請求の範囲】
【請求項１】
先端側に液体を導入する導入口および液体を排出する排出口が設けられた筒状のシリンジを有する液体供給具本体と、
前記シリンジ内で液密に摺動するガスケットと、
前記ガスケットを前記シリンジの先端方向へ押圧し得る弾性体と、
前記液体供給具本体内に設けられ、前記弾性体が当接する弾性体当接部を備えた弾性体圧縮部材と、前記弾性体圧縮部材と係合し得るロック部材とを有し、それらの係合により前記弾性体を圧縮状態に保持する規制手段と、
前記弾性体圧縮部材と前記ロック部材の係合を解除する操作手段と、
前記ロック部材の基端部に設けられ、前記液体供給具本体の基端側を覆う、開口を有する蓋部材と、
気体を透過させ、かつ菌を透過させないフィルターを有し、前記シリンジ内の前記ガスケットより基端側の空間に菌が侵入するのを阻止する菌遮断手段とを備え、
前記ロック部材は、前記シリンジ内の前記ガスケットより基端側の空間と前記液体供給具本体の外部とを連通する中空の胴部を有し、前記フィルターは、前記胴部内に、該フィルターより先端側の空間と基端側の空間とを仕切るように設置されており、
前記操作手段を操作して、前記弾性体圧縮部材と前記ロック部材の係合を解除することにより、前記弾性体による前記ガスケットの押圧動作が開始するよう構成されている液体供給具であって、
前記ガスケットは、当初、前記シリンジの先端部に位置し、液体が前記導入口から前記シリンジ内に導入されることで、前記ガスケットが、前記シリンジの基端側に移動するとともに、前記シリンジ内の前記ガスケットより基端側の空気が、前記ロック部材の胴部および前記フィルターを経て前記蓋部材の開口から排出され、
前記弾性体圧縮部材は、前記シリンジの軸方向に移動し得るように設置されており、前記弾性体が前記ガスケットを押圧する際は、前記弾性体が前記弾性体圧縮部材を介して前記ガスケットを押圧するよう構成されていることを特徴とする液体供給具。
【請求項２】
前記弾性体圧縮部材および前記ロック部材は、それぞれ円筒状をなす胴部を有し、その一方が他方の内側に挿入された状態で係合する請求項１に記載の液体供給具。
【請求項３】
前記一方の胴部の外周面に形成された凸部と、前記他方の胴部の内周面に形成された凸部とが係合することにより、前記弾性体を圧縮状態に保持する請求項２に記載の液体供給具。
【請求項４】
前記弾性体圧縮部材および前記ロック部材は、それぞれ円筒状をなす胴部を有し、前記ロック部材の胴部が前記弾性体圧縮部材の胴部の内側に挿入された状態で係合し、
前記ロック部材の胴部の外周面に形成された凸部と、前記弾性体圧縮部材の胴部の内周面に形成された凸部とが係合することにより、前記弾性体を圧縮状態に保持し、
前記弾性体は、前記弾性体圧縮部材の胴部の外周側に配置されている請求項１に記載の液体供給具。
【請求項５】
前記ロック部材は、前記液体供給具本体に対して回転可能に設置され、前記操作手段を操作して前記ロック部材を回転させることにより、前記弾性体圧縮部材と前記ロック部材の係合が解除される請求項１ないし４のいずれかに記載の液体供給具。
【請求項６】
前記操作手段は、前記弾性体圧縮部材と前記ロック部材を係合させる機能を有する請求項１ないし５のいずれかに記載の液体供給具。
【請求項７】
前記弾性体は、コイルバネで構成される請求項１ないし６のいずれかに記載の液体供給具。
【請求項８】
前記蓋部材は、前記操作手段を兼ねる請求項１ないし７のいずれかに記載の液体供給具。
【発明の詳細な説明】
【０００１】
【発明の属する技術分野】
本発明は、例えばモルヒネ等の鎮痛剤、インシュリン製剤、抗生物質、抗ガン剤のような薬液等の液体を供給、特に生体へ投与するための液体供給具に関する。
【０００２】
【従来の技術】
例えば、患者に対し薬液を投与するための薬液注入具（薬液供給具）としては、病院等の医療機関において使用されるものと、患者自身が自宅や職場等で自己投与する際に使用されるものとがある。例えば、術後疼痛や癌性疼痛の緩和のような疼痛管理のために、薬液注入具を用いて、モルヒネ等の鎮痛剤を連続的に微量注入することが行われている。
【０００３】
このような薬液注入具は、主に、薬液を貯留するとともに該薬液を排出する機能を有するバルーンや電気的に駆動するシリンジポンプのような薬液供給源と、該薬液供給源から延長された薬液供給ラインと、該薬液供給ラインの途中に設置された流量制御装置とで構成されている。流量制御装置は、流路の横断面積が微小な（極細の流路を有する）オリフィスを有し、薬液が該オリフィスを通過する際の大きな管路抵抗により流量を微量に制御するものである。
【０００４】
ところで、前記以外の薬液供給源として、シリンジと、該シリンジ内で液密に摺動するガスケットと、該ガスケットに対し着脱自在なガスケット移動操作用のプランジャと、ガスケットをシリンジの先端方向へ押圧（付勢）するバネとを備え、プランジャとガスケットの連結状態でプランジャを引き、シリンジ内に薬液を吸入した後、ガスケットからプランジャを取り外すとともに、バネによる押圧力をガスケットに作用させてガスケットを先端方向へ押圧し、シリンジ内の薬液を小流量で連続的に排出、注入する構成のものが知られている（特開平４−５１９６６号公報、特開平７−６７９５９号公報）。
【０００５】
しかしながら、特開平４−５１９６６号公報に記載された器具は、シリンジ内への薬液の吸入が完了し、プランジャ（軸棒）を取り外した後、ガスケット（ピストン）の背面側に圧縮状態に保持されたバネ（弾圧手段）を装着する操作と、バネの圧縮状態の規制を解除する操作とを行う必要があり、操作に手間がかかるという欠点がある。
【０００６】
また、特開平７−６７９５９号公報も、同様に、シリンジ内への薬液の吸入が完了し、プランジャを取り外した後、バネ圧縮部材とバネ受けの係合により圧縮状態に保持されているバネに対し、バネ圧縮部材とバネ受けの係合を解除する操作を外部より行ってその圧縮状態を解除する必要があり、操作に手間がかかるという欠点がある。
【０００７】
【発明が解決しようとする課題】
本発明の目的は、薬液等の液体の供給開始のための操作が簡単な液体供給具を提供することにある。
【０００８】
【課題を解決するための手段】
このような目的は、下記（１）〜（８）の本発明により達成される。
【０００９】
（１）  先端側に液体を導入する導入口および液体を排出する排出口が設けられた筒状のシリンジを有する液体供給具本体と、
前記シリンジ内で液密に摺動するガスケットと、
前記ガスケットを前記シリンジの先端方向へ押圧し得る弾性体と、
前記液体供給具本体内に設けられ、前記弾性体が当接する弾性体当接部を備えた弾性体圧縮部材と、前記弾性体圧縮部材と係合し得るロック部材とを有し、それらの係合により前記弾性体を圧縮状態に保持する規制手段と、
前記弾性体圧縮部材と前記ロック部材の係合を解除する操作手段と、
前記ロック部材の基端部に設けられ、前記液体供給具本体の基端側を覆う、開口を有する蓋部材と、
気体を透過させ、かつ菌を透過させないフィルターを有し、前記シリンジ内の前記ガスケットより基端側の空間に菌が侵入するのを阻止する菌遮断手段とを備え、
前記ロック部材は、前記シリンジ内の前記ガスケットより基端側の空間と前記液体供給具本体の外部とを連通する中空の胴部を有し、前記フィルターは、前記胴部内に、該フィルターより先端側の空間と基端側の空間とを仕切るように設置されており、
前記操作手段を操作して、前記弾性体圧縮部材と前記ロック部材の係合を解除することにより、前記弾性体による前記ガスケットの押圧動作が開始するよう構成されている液体供給具であって、
前記ガスケットは、当初、前記シリンジの先端部に位置し、液体が前記導入口から前記シリンジ内に導入されることで、前記ガスケットが、前記シリンジの基端側に移動するとともに、前記シリンジ内の前記ガスケットより基端側の空気が、前記ロック部材の胴部および前記フィルターを経て前記蓋部材の開口から排出され、
前記弾性体圧縮部材は、前記シリンジの軸方向に移動し得るように設置されており、前記弾性体が前記ガスケットを押圧する際は、前記弾性体が前記弾性体圧縮部材を介して前記ガスケットを押圧するよう構成されていることを特徴とする液体供給具。
【００１０】
（２）  前記弾性体圧縮部材および前記ロック部材は、それぞれ円筒状をなす胴部を有し、その一方が他方の内側に挿入された状態で係合する上記（１）に記載の液体供給具。
【００１１】
（３）  前記一方の胴部の外周面に形成された凸部と、前記他方の胴部の内周面に形成された凸部とが係合することにより、前記弾性体を圧縮状態に保持する上記（２）に記載の液体供給具。
【００１２】
（４）  前記弾性体圧縮部材および前記ロック部材は、それぞれ円筒状をなす胴部を有し、前記ロック部材の胴部が前記弾性体圧縮部材の胴部の内側に挿入された状態で係合し、
前記ロック部材の胴部の外周面に形成された凸部と、前記弾性体圧縮部材の胴部の内周面に形成された凸部とが係合することにより、前記弾性体を圧縮状態に保持し、
前記弾性体は、前記弾性体圧縮部材の胴部の外周側に配置されている上記（１）に記載の液体供給具。
【００１３】
（５）  前記ロック部材は、前記液体供給具本体に対して回転可能に設置され、前記操作手段を操作して前記ロック部材を回転させることにより、前記弾性体圧縮部材と前記ロック部材の係合が解除される上記（１）ないし（４）のいずれかに記載の液体供給具。
【００１４】
（６）  前記操作手段は、前記弾性体圧縮部材と前記ロック部材を係合させる機能を有する上記（１）ないし（５）のいずれかに記載の液体供給具。
【００１５】
（７）  前記弾性体は、コイルバネで構成される上記（１）ないし（６）のいずれかに記載の液体供給具。
【００１６】
（８）  前記蓋部材は、前記操作手段を兼ねる上記（１）ないし（７）のいずれかに記載の液体供給具。
【００３２】
【発明の実施の形態】
以下、本発明の液体供給具を、添付図面に示す好適実施例に基づいて詳細に説明する。
【００３３】
図１は、本発明の液体供給具の実施例の外観を示す平面図、図２は、図１に示す液体供給具の先端部の縦断面図、図３は、液体供給具本体の基端部の構成を示す図（シリンジの縦断面、接続部材の平面およびキャップ状部材の縦断面）、図４は、液体供給具本体の基端側端面を示す図、図５は、ロック部材および蓋部材の構成（平面および基端側端面）を示す図、図６は、ロック部材の先端部を示す平面図、図７は、ロック部材の先端部を示す底面図（図６の裏側を示す図）、図８は、弾性体圧縮部材の構成（平面および両端面）を示す図、図９は、図８中のＡ−Ａ線での断面図、図１０は、図８中のＢ−Ｂ線での断面図、図１１は、姿勢保持部材の構成（縦断面および先端側端面）を示す図、図１２は、図１に示す液体供給具の基端部側の縦断面図、図１３、図１４、図１５および図１６は、それぞれ図１に示す液体供給具の使用状態を示す縦断面図である。
【００３４】
なお、本明細書では、図１、図２、図３、図６、図７、図９、図１０、図１２〜図１６中の左右方向（シリンジの長手方向）を「軸方向」、右側を「基端」、左側を「先端」、として説明する。
【００３５】
各図に示すように、液体供給具１は、筒状のシリンジ（外筒）２を有する液体供給具本体１０と、シリンジ２内で液密に摺動するガスケット３と、ガスケット３をシリンジ２の先端方向へ押圧し得るコイルバネ（弾性体）１１と、コイルバネ１１を圧縮状態に保持する規制手段６と、シリンジ２の導入口２１の先端部に着脱自在に装着されるキャップ１２とを備えている。以下、これらの構成を詳細に説明する。
【００３６】
液体供給具本体１０は、主に、シリンジ２と、キャップ状部材５と、このシリンジ２とキャップ状部材５とを気密的に接続（固定）する接続部材４とで構成されている。
【００３７】
シリンジ２は、樹脂材料よりなる略円筒状の部材で構成されている。シリンジ２の少なくとも薬液（液体）Ｑが収納される部分は、視認性を確保するために、透明または半透明な樹脂材料で構成されているのが好ましい。また、シリンジ２の基端部分、すなわち後述するコイルバネ１１および規制手段６が収納される部分は、不透明な材料で構成されていてもよい。
【００３８】
シリンジ２の先端には、薬液Ｑをシリンジ２内に導入する導入口２１と、薬液Ｑを排出する排出口２３とが突出形成されている。
【００３９】
導入口２１は、シリンジ２の先端のほぼ中心に突出し、その先端部は、別のシリンジの導入口または各種コネクタ（例えばルアーテーパ）等が接続可能な形状とされている。また、導入口２１の途中には、流体のシリンジ２内への流入のみを許容する一方向弁２２が設置されている。これにより、薬液供給（微量注入）時に、シリンジ２内の薬液Ｑが導入口２１から漏れ出すことが防止される。
【００４０】
また、排出口２３は、シリンジ２の先端の側部近傍に突出している。そして、シリンジ２の先端には、この排出口２３より大径の円筒状の保持部材２４が、排出口２３と同心的に、突出形成されている。
【００４１】
この排出口２３の先端部には、薬液供給ライン（図示せず）を構成するチューブ等が例えばコネクタを介して接続される。この場合、前記コネクタの基端部の図示しない凸部が、排出口２３と保持部材２４との間（凹部）に挿入される。
【００４２】
この薬液供給ラインは、例えば流路の横断面積が微小な（極細の流路を有する）オリフィスで構成される流量制御装置（図示せず）を備える。この流量制御装置により、排出口２３から排出された薬液Ｑは、その流量が微量（例えば、０．２〜２０．０ml／時間程度）に制御される。
【００４３】
なお、図示と異なり、薬液Ｑの導入口および排出口を１つのもので兼用する構成であってもよい。
【００４４】
また、図３に示すように、シリンジ２の基端部の内周面には、後述する接続部材４の雄螺子４１と螺合する雌螺子２６が形成されている。
【００４５】
シリンジ２は、内部の薬液Ｑの残量を視認し得るように、透光性を有するもの、すなわち透明または半透明であるのが好ましい。そして、シリンジ２の外周面には、シリンジ２内の薬液Ｑの液量を表示し得る目盛り２５が付されている。
【００４６】
シリンジ２の最大容量は、特に限定されず、収納される薬液Ｑの種類、使用形態、症例等に応じて、適宜決定されるが、通常は、１０〜４００ml程度のものが好ましく、３０〜２５０ml程度のものがより好ましい。
【００４７】
キャップ状部材５は、樹脂材料よりなる略円筒状の部材で構成されている。
【００４８】
キャップ状部材５の基端部の内周面には、リング状の突部５２が形成されている。図４に示すように、突部５２の内周部、すなわち、突部５２の開口５８に臨む縁部には、複数の突起５３が形成されている。
【００４９】
この突部５２の先端側の部分は、コイルバネ１１の基端側が当接するバネ座（弾性体当接部）として機能する（図１２参照）。
【００５０】
また、突部５２の外周部の基端側、すなわち、角部５６には、弾性体よりなるリング状の封止部材１３が設けられている。
【００５１】
また、図３に示すように、キャップ状部材５の前記突部５２より基端側の内周面には、周方向に沿ってリブ５４が形成されている。
【００５２】
また、キャップ状部材５の先端部の内周面には、後述する接続部材４の雄螺子４２と螺合する雌螺子５１が形成されている。
【００５３】
このキャップ状部材５は、後述する接続部材４を介し、シリンジ２の基端に気密的に接続される。
【００５４】
接続部材４は、樹脂材料よりなる略円筒状の部材で構成されている。
【００５５】
接続部材４の外周面には、リング状のフランジ４３が形成されている。フランジ４３は、軸方向のほぼ中間に配置されている。
【００５６】
このフランジ４３の外径（直径）は、シリンジ２の基端側の外径およびキャップ状部材５の先端側の外径と等しい。
【００５７】
また、接続部材４のフランジ４３より先端側の外周面には、雄螺子４１が形成され、フランジ４３より基端側の外周面には、雄螺子４２が形成されている。
【００５８】
この接続部材４をシリンジ２の基端部に装着する際は、フランジ４３がシリンジ２の基端側の端面に当接し、これにより、接続部材４がシリンジ２に対して相対的に位置決めされる（図１２参照）。
【００５９】
同様に、接続部材４をキャップ状部材５の先端部に装着する際は、フランジ４３がキャップ状部材５の先端側の端面に当接し、これにより、接続部材４がキャップ状部材５に対して相対的に位置決めされる（図１２参照）。
【００６０】
そして、フランジ４３とシリンジ２の基端側の端面とが密着するとともに、フランジ４３とキャップ状部材５の先端側の端面とが密着し、これにより、シリンジ２とキャップ状部材５とが気密的に接続される（図１２参照）。
【００６１】
なお、前記キャップ状部材５と接続部材４とが一体的に成形されていてもよく、また、前記シリンジ２と接続部材４とが一体的に成形されていてもよい。
【００６２】
図２に示すように、ガスケット３は、弾性材料で構成されたガスケット本体３１と、ガスケット本体３１の中心部に嵌入され、固定された硬質材料よりなるヘッド３３とで構成されている。
【００６３】
ガスケット本体３１を構成する弾性材料としては、例えば、天然ゴム、イソプレンゴム、ブタジエンゴム、スチレン−ブタジエンゴム、ブチルゴム、シリコーンゴム、フッ素ゴムのような各種ゴム材料や、ポリウレタン系、ポリエステル系、ポリアミド系等の各種熱可塑性エラストマー等が挙げられる。
【００６４】
ガスケット本体３１の外周部には、全周に渡って、一対のリング状の突部３２が軸方向に所定間隔をおいて形成され、ガスケット３が軸方向に移動する際、両突部３２がシリンジ２の内周面に密着しつつ摺動する。これにより、シリンジ２とガスケット３とで囲まれる空間（薬液貯留空間）の液密性が良好に保たれ、また、適度な摺動性も得られる。
【００６５】
ヘッド３３の中心部の基端側には、８枚の板３５で構成された突起（中心合わせ手段）３４が形成されている。各板３５は、シリンジ２の中心軸（軸線）から放射状に立設されている。この突起３４の外径（直径）は、後述する弾性体圧縮部材８の胴部８１の内径（直径）より若干小さい。
【００６６】
この突起３４が弾性体圧縮部材８の胴部８１内へ挿入されることにより、弾性体圧縮部材８の中心（コイルバネ１１の中心）とガスケット３の中心とを一致させることができる（図１４〜図１６参照）。
【００６７】
また、各板３５の軸方向の長さは、それぞれ、シリンジ２の中心軸から外周側に向かって漸減している。すなわち、突起３４の軸方向の長さは、シリンジ２の中心軸上で最大となり、前記中心軸から外周側に向かって漸減している。
【００６８】
これにより、弾性体圧縮部材８の胴部８１内への前記突起３４の挿入が円滑になされ、より確実に、弾性体圧縮部材８の中心（コイルバネ１１の中心）とガスケット３の中心とを一致させることができる。
【００６９】
コイルバネ１１は、その弾性力により、ガスケット３をシリンジ２内で先端方向へ付勢し、押圧するためのものである。このコイルバネ１１は、通常（薬液Ｑの供給を開始するまで）は、規制手段６により圧縮状態が保たれ、ガスケット３を先端方向へ押圧しない。
【００７０】
以下、コイルバネ１１を圧縮状態に保持する規制手段６の構成について説明する。
【００７１】
規制手段６は、弾性体圧縮部材８と、この弾性体圧縮部材８と係合し得るロック部材７とを有し、これらが係合することにより、コイルバネ１１を圧縮状態に保持する（図１２〜図１６参照）。この規制手段６は、液体供給具本体１０内に設けられている。
【００７２】
図８、図９および図１０に示すように、弾性体圧縮部材８は、円筒状をなす胴部８１を有している。
【００７３】
胴部８１の基端側内周面には、後述するロック部材７側の係合凸部７２、７３と係合する２つの楔状の係合凸部８２が１８０°間隔で（対向して）突出形成されている。この場合、各係合凸部８２は、その楔形状の頂部（尖端）８２１が基端方向に、底部８２２が先端方向に向くように形成されている。
【００７４】
また、係合凸部８２同士の間隙（特に底部８２２付近の間隙８３）は、ロック部材７側の係合凸部７２、７３が通過可能な程度とされる。
【００７５】
各係合凸部８２の底部８２２の図９中の上側端部には、それぞれ、先端側に突出する突部（回転方向規制手段）８２３が形成されている。
【００７６】
この突部８２３には、ロック部材７側の係合凸部７２、７３が当接し、これによりロック部材７の所定方向への回転が阻止される。
【００７７】
また、弾性体圧縮部材８の先端外周部には、後述する姿勢保持部材９の突部９１と係合し得るリング状のフランジ８４が形成されている。
【００７８】
このフランジ８４の基端側は、後述する姿勢保持部材９の突部９１の先端側に当接し、これらフランジ８４および突部９１で、コイルバネ１１の先端側が当接するバネ座（弾性体当接部）を構成する（図１２参照）。
【００７９】
また、弾性体圧縮部材８の基端には、前述したキャップ状部材５の突起５３と係合し得る複数の突起８５が形成されている。
【００８０】
前記突起８５と突起５３とが係合した状態では、後述する蓋部材１４のリブ１４２を操作してロック部材７を回転させる際に、キャップ状部材５に対する弾性体圧縮部材８の回転、すなわち、液体供給具本体１０に対する弾性体圧縮部材８の回転が阻止される（図１２参照）。一方、弾性体圧縮部材８とロック部材７との係合が解除された場合には、前記突起８５と突起５３とが係合していても、弾性体圧縮部材８は、先端側（軸方向）へ移動することができる（図１２参照）。従って、前記突起８５および突起５３により回転阻止手段が構成される。
【００８１】
一方、図５、図６および図７に示すように、ロック部材７は、円筒状をなす（中空の）胴部７１を有している。この胴部７１の中空部と、後述する蓋部材１４の開口１４３とにより、シリンジ２内のガスケット３より基端側の空間と液体供給具本体１０の外部とが連通する。
【００８２】
胴部７１の先端側外周面には、楔状の第１の係合凸部７２と、軸方向の長さがこの係合凸部７２より短い楔状の第２の係合凸部７３とが１８０°間隔で突出形成されている。この場合、各係合凸部７２、７３は、その楔形状の頂部（尖端）７２１、７３１および底部７２２、７３２が、それぞれ前記係合凸部８２と逆方向に向くように形成されている。
【００８３】
また、係合凸部７２と係合凸部７３の間隙（特に底部７２２、７３２付近の間隙７４）は、前記係合凸部８２が通過可能な程度とされる。
【００８４】
また、胴部７１の途中には、気体を透過させ、かつ菌を透過させないフィルター１５が設置されている。すなわち、フィルター１５は、胴部７１内に、そのフィルター１５より先端側の空間と基端側の空間とを仕切るように設置されている。
【００８５】
なお、フィルター１５の位置は、胴部７１の途中に限らず、例えば、胴部７１の先端や、基端でもよい。
【００８６】
このロック部材７の胴部７１の基端には、外形形状が円形の蓋部材（操作手段）１４が設けられ、好ましくは、一体形成されている。一体形成により、部品点数を減少させることができる。
【００８７】
図１２に示すように、この蓋部材１４は、前述したキャップ状部材５の突部５２の基端側に装着され、そのキャップ状部材５に対して、図４中時計回りおよび反時計回りの方向（両方向）に回転し得るようになっている。なお、この蓋部材１４と前記ロック部材７は、一部材で形成されているので、蓋部材１４とロック部材７とが一体的に回転する。
【００８８】
図５に示すように、蓋部材１４の中心部には、前記胴部７１の中空部と連通する開口１４３が形成されている。
【００８９】
また、図５および図１２に示すように、蓋部材１４の外周面には、周方向に沿ってリブ１４１が形成されている。このリブ１４１は、キャップ状部材５のリブ５４と封止部材１３との間に位置する。
【００９０】
この場合、リブ５４と封止部材１３とが密着し、リブ１４１と封止部材１３とが密着するとともに、蓋部材１４により開口５８が覆われ、これと前記フィルター１５とにより、シリンジ２内のガスケット３より基端側の空間に菌が侵入するのを阻止することができる。従って、蓋部材１４、キャップ状部材５、封止部材１３およびフィルター１５により菌遮断手段が構成される。
【００９１】
また、リブ１４１とリブ５４とが係合し、これにより、蓋部材１４のキャップ状部材５からの離脱を阻止することができる。
【００９２】
また、図５に示すように、蓋部材１４の基端側には、その直径方向に沿ってリブ１４２が設けられ、好ましくは、一体形成されている。一体形成により、部品点数を減少させることができる。
【００９３】
このリブ１４２は、ロック部材７を回転操作するときのつまみ（操作部材）として機能する。
【００９４】
また、蓋部材１４の基端側には、コイルバネ１１を圧縮状態に保持する規制を解除する際のロック部材７の回転方向、すなわち、弾性体圧縮部材８とロック部材７との係合を解除する際のロック部材７の回転方向を示す矢印１４４が付されている。
【００９５】
なお、コイルバネ１１を圧縮状態に保持する規制を行う際のロック部材７の回転方向、すなわち、弾性体圧縮部材８とロック部材７とを係合させる際のロック部材７の回転方向は、矢印１４４と逆の方向である。
【００９６】
この矢印１４４により、弾性体圧縮部材８とロック部材７との係合を解除する際と、弾性体圧縮部材８とロック部材７とを係合させる際において、ロック部材７の回転方向を目視で確認することができ、これにより、回転方向を誤ることなくロック部材７を回転操作することができる。
【００９７】
図１１および図１２に示すように、液体供給具本体１０内には、弾性体圧縮部材８の液体供給具本体１０（シリンジ２）に対する姿勢を保持する姿勢保持部材（姿勢保持手段）９が設置されている。
【００９８】
姿勢保持部材９は、略円筒状の部材で構成されており、前述した弾性体圧縮部材８の外周側に配置されている。
【００９９】
姿勢保持部材９の内径（直径）は、弾性体圧縮部材８の胴部８１の外径（直径）より大きい。また、姿勢保持部材９の外径（直径）は、液体供給具本体１０の内径（直径）より小さい。
【０１００】
また、姿勢保持部材９の先端側内周面には、リング状の突部９１が形成されており、この突部９１の基端側には、コイルバネ１１の先端側が当接する。
【０１０１】
また、突部９１の内周部は、基端側に突出している。これにより、コイルバネ１１をより確実に保持することができる。
【０１０２】
また、図１２に示すように、姿勢保持部材９の内径（直径）は、弾性体圧縮部材８のフランジ８４の外径（直径）より若干大きく、姿勢保持部材９の突部９１の内径（直径）は、弾性体圧縮部材８の胴部８１の外径（直径）より若干大きい。
【０１０３】
この姿勢保持部材９の突部９１の先端側は、弾性体圧縮部材８のフランジ８４の基端側に当接し、これにより、弾性体圧縮部材８に対して姿勢保持部材９が相対的に位置決めされる。
【０１０４】
このような姿勢保持部材９を設けることにより、シリンジ２の内周面からのすき間を小さくすることができ、これにより、シリンジ２に対する姿勢保持部材９の姿勢、すなわち、シリンジ２に対する弾性体圧縮部材８の姿勢を保持することができる。
【０１０５】
なお、姿勢保持部材９の軸方向の長さは、その突部９１に弾性体圧縮部材８のフランジ８４が当接したとき、弾性体圧縮部材８の突起８５全体が姿勢保持部材９の基端から突出する程度とされる。
【０１０６】
図１２に示すように、ロック部材７は、その胴部７１が弾性体圧縮部材８の胴部８１内に挿入され、係合凸部７２、７３の底部７２２、７３２が、それぞれ、対応する係合凸部８２の底部８２２と当接することにより、弾性体圧縮部材８と係合する。以下、この状態を「係合状態」と言う。
【０１０７】
ロック部材７と弾性体圧縮部材８の係合状態（ロック状態）においては、姿勢保持部材９内に弾性体圧縮部材８が挿通され、さらに、弾性体圧縮部材８の胴部８１内にロック部材７の胴部７１が挿通される。そして、弾性体圧縮部材８のフランジ８４の基端側に、姿勢保持部材９の突部９１の先端側が当接するとともに、弾性体圧縮部材８の突起８５とキャップ状部材５の突起５３とが係合する。
【０１０８】
また、コイルバネ１１は、弾性体圧縮部材８の胴部８１と姿勢保持部材９との間に、胴部８１の外周を囲むように装填される。そして、ロック部材７と弾性体圧縮部材８の係合状態においては、コイルバネ１１は、キャップ状部材５の突部５２と、姿勢保持部材９の突部９１との間に挟持され、これによりコイルバネ１１の圧縮状態が保持される。
【０１０９】
ロック部材７は、弾性体圧縮部材８に対し、９０°回転することができる。すなわち、図１２に示す係合状態から、図１５に示すように、ロック部材７が弾性体圧縮部材８に対し９０°所定方向に回転すると、係合凸部７２、８２同士の係合と、係合凸部７３、８２同士の係合とがそれぞれ外れ、図１５および図１６に示すように、コイルバネ１１の圧縮状態の規制が解除される。以下、この状態を「係合解除状態」と言う。
【０１１０】
以上のような構成の規制手段６は、一方の胴部７１が他方の胴部８１内に回転可能に挿入された２重管構造をなしていること、さらには、これらがコイルバネ１１の内側に挿入されていること等から、小型化、省スペース化を図ることができるという利点がある。
【０１１１】
なお、規制手段６の構成、例えば、ロック部材７および弾性体圧縮部材８の形状や位置関係、特に係合凸部７２、７３、８２の形状、設置位置、設置数等は、図示のものに限定されないことは言うまでもない。
【０１１２】
図１に示すように、シリンジ２の導入口２１の先端部には、例えば、外形形状が円柱形状、円錐台形状または砲弾形状をなすキャップ１２が着脱自在に装着される。キャップ１２を装着した状態では、キャップ１２により導入口２１が被包され、これにより、導入口２１からシリンジ２内のガスケット３より先端側の空間に菌が侵入するのを阻止することができ、また、導入口２１への菌、塵、埃の侵入、付着を防止することができる。
【０１１３】
シリンジ２内に収納される薬液Ｑは、その使用目的に応じて適宜選択され、例えば、モルヒネ（麻薬性鎮痛剤）等の鎮痛剤、インシュリン製剤、抗生物質、抗ガン剤、局麻剤等が挙げられる。
【０１１４】
なお、シリンジ２内に収納される液体の種類は、これに限定されるものではなく、例えば、生理食塩水、電解水、蒸留水、洗浄液、栄養剤、抗凝固剤、造影剤等の直接薬効を発揮しないものも含まれる。
【０１１５】
次に、液体供給具１の使用方法（作用）の一例を図１２〜図１６に基づき説明する。
【０１１６】
［１］図１２および図１３に示すように、キャップ状部材５の突部５２と姿勢保持部材９の突部９１との間にコイルバネ１１を装填するとともに、ロック部材７と弾性体圧縮部材８とを係合状態とし、かつ、ガスケット３をシリンジ３内の最先端に移動させておく。
【０１１７】
なお、本項［１］で述べた操作は、液体供給具１の組み立て時に既に完了させておくのが好ましい。
【０１１８】
［２］シリンジ２の排出口２３の先端部に薬液供給ライン（図示せず）を接続する。このとき、例えば薬液供給ラインを構成するチューブの途中をクレンメ等（図示せず）により閉塞しておく。
【０１１９】
また、シリンジ２の導入口２１の先端部からキャップ１２を取り外し、導入口２１の先端部に、薬液Ｑを吸入したシリンジ等（図示せず）を接続し、それにより薬液Ｑをシリンジ２内へ注入可能とする。
【０１２０】
この状態で、前記シリンジのプランジャ（図示せず）を押圧操作し、薬液Ｑを導入口２１を介してシリンジ２内へ導入する（図１４参照）。
【０１２１】
この際、ガスケット３は、基端側に移動し、液体供給具本体１０内のガスケット３より基端側の空気は、ロック部材７の胴部７１およびフィルター１５を経て蓋部材１４の開口１４３から排出される。また、フィルター１５により、液体供給具本体１０内の無菌性が保持される。
【０１２２】
そして、目盛り２５を視認しつつ、シリンジ２内の液量が目的とする投与量に達したら、その時点で前記プランジャの操作を停止する。
【０１２３】
なお、図１４に示すように、薬液Ｑをシリンジ２内に最大量導入すると、ガスケット３の突起３４が弾性体圧縮部材８の胴部８１内へ挿入されるとともに、ガスケット３のガスケット本体３１の基端が弾性体圧縮部材８のフランジ８４の先端側に当接する。
【０１２４】
［３］蓋部材１４のリブ１４２を指で把持し、その蓋部材１４を図１４に示す状態から、図５（端面図）中の時計回りに９０°、すなわち、矢印１４４の方向に９０°回転させる。
【０１２５】
この場合、前述したように蓋部材１４とロック部材７とが一体的に回転する。一方、弾性体圧縮部材８の突起８５とキャップ状部材５の突起５３の一方が他方に当接し、これにより、弾性体圧縮部材８の回転は阻止される。従って、ロック部材７は、弾性体圧縮部材８に対して矢印１４４の方向に９０°回転する。すなわち、ロック部材７が係合状態から矢印１４４の方向に９０°回転する。
【０１２６】
なお、蓋部材１４を矢印１４４と逆方向へ回転操作しようとすると、ロック部材７の係合凸部７２、７３が、弾性体圧縮部材８の対応する係合凸部８２の突部８２３に当接し、これにより、前記蓋部材１４の回転、すなわち、ロック部材７の矢印１４４と逆方向への回転は、阻止される。
【０１２７】
図１５に示すように、ロック部材７が係合状態から矢印１４４の方向に９０°回転すると、係合凸部７２、８２同士の係合と、係合凸部７３、８２同士の係合とがそれぞれ外れ、ロック部材７と弾性体圧縮部材８は係合解除状態となる。これにより、コイルバネ１１の圧縮状態の規制が解除され、コイルバネ１１が伸長し、姿勢保持部材９および弾性体圧縮部材８を介して、ガスケット３を先端方向へ押圧する（図１６参照）。
【０１２８】
なお、シリンジ２内に最大量より少ない量の薬液Ｑを導入した場合には、前記コイルバネ１１の圧縮状態の規制が解除されると、コイルバネ１１が伸長して姿勢保持部材９および弾性体圧縮部材８が先端側に移動し、ガスケット３の突起３４が弾性体圧縮部材８の胴部８１内へ挿入されるとともに、弾性体圧縮部材８のフランジ８４の先端側がガスケット３のガスケット本体３１の基端に当接し、ガスケット３を先端方向へ押圧する（図１６参照）。この際、姿勢保持部材９および弾性体圧縮部材８の移動方向がずれたとしても、前述したように、突起３４の軸方向の長さは、シリンジ２の中心軸から外周側に向かって漸減しているので、弾性体圧縮部材８の先端が突起３４の傾斜面を滑り、その突起３４が胴部８１内へ挿入され、弾性体圧縮部材８のフランジ８４の先端側は、ガスケット３のガスケット本体３１の基端に当接する。
【０１２９】
［４］シリンジ２内の薬液Ｑは、ガスケット３の押圧により加圧され、薬液供給ライン（図示せず）における前記クレンメによる閉塞を解除すると、その薬液Ｑが排出口２３から排出され、薬液供給ラインへ供給される。そして、その薬液Ｑは、薬液供給ラインに設置された流量制御装置により、その流量が微量に制御されつつ、投与される。
【０１３０】
なお、このとき、一方向弁２２の作用により、導入口２１から薬液Ｑが漏れ出すことはない。
【０１３１】
また、このような薬液供給の最中に、キャップ１２をシリンジ２の導入口２１の先端部に装着して、導入口２１への菌、塵、埃の侵入、付着を防止することもできる。
【０１３２】
［５］前記薬液Ｑの投与後に、再度、シリンジ２内に薬液Ｑを導入してそれを投与する場合には、例えば薬液供給ラインを構成するチューブの途中をクレンメ等（図示せず）により閉塞しておく。
【０１３３】
また、シリンジ２の導入口２１の先端部に、薬液Ｑを吸入したシリンジ等（図示せず）を接続し、それにより薬液Ｑをシリンジ２内へ注入可能とする。
【０１３４】
この状態で、前記シリンジのプランジャ（図示せず）を押圧操作し、薬液Ｑを導入口２１を介してシリンジ２内へ導入する（図１４参照）。
【０１３５】
この際、ガスケット３、弾性体圧縮部材８および姿勢保持部材９は、コイルバネ１１の弾性力に抗して基端側に移動し、液体供給具本体１０内のガスケット３より基端側の空気は、ロック部材７の胴部７１およびフィルター１５を経て蓋部材１４の開口１４３から排出される。また、フィルター１５により、液体供給具本体１０内の無菌性が保持される。
【０１３６】
また、姿勢保持部材９により、シリンジ２に対する弾性体圧縮部材８の姿勢を保持することができるので、弾性体圧縮部材８の胴部８１内にロック部材７の胴部７１が挿通する際、胴部８１の突起８５が胴部７１の先端に引っ掛かるのを防止することができ、これにより、円滑かつ確実に、胴部８１内に胴部７１を挿通させることができる。
【０１３７】
また、ロック部材７の係合凸部７３の軸方向の長さが係合凸部７２のそれより短いので、係合凸部７２と係合凸部７３を同じ長さにする場合に比べ、弾性体圧縮部材８の胴部８１内にロック部材７の胴部７１が挿通する際、弾性体圧縮部材８の係合凸部８２の頂部８２１が前記頂部７２１、７３１に引っ掛かるのを抑制することができ、これにより、円滑かつ確実に、胴部８１内に胴部７１を挿通させることができる。
【０１３８】
そして、目盛り２５を視認しつつ、シリンジ２内の液量が目的とする投与量に達したら、その時点で前記プランジャの操作を停止する。
【０１３９】
前述したように、シリンジ２内の薬液Ｑは、コイルバネ１１で付勢されたガスケット３の押圧により加圧されており、薬液供給ライン（図示せず）における前記クレンメによる閉塞を解除すると、その薬液Ｑが排出口２３から排出され、薬液供給ラインへ供給される。そして、その薬液Ｑは、薬液供給ラインに設置された流量制御装置により、その流量が微量に制御されつつ、投与される。
【０１４０】
なお、再度、薬液Ｑをシリンジ２内に最大量導入してそれを投与する場合には、薬液Ｑをシリンジ２内へ導入した後、一旦、係合状態にし、その後、係合解除状態にして前記薬液Ｑを投与することもできる。
【０１４１】
薬液Ｑをシリンジ２内に最大量導入すると、図１５に示すように、弾性体圧縮部材８の突起８５とキャップ状部材５の突起５３とが係合する。
【０１４２】
そして、薬液Ｑをシリンジ２内へ導入した後、蓋部材１４のリブ１４２を指で把持し、その蓋部材１５を図１４に示す状態から、図５（端面図）中の反時計回りに９０°、すなわち、矢印１４４と逆方向に９０°回転させる。
【０１４３】
この場合、前述したように蓋部材１４とロック部材７とが一体的に回転する。一方、弾性体圧縮部材８の突起８５とキャップ状部材５の突起５３の一方が他方に当接し、これにより、弾性体圧縮部材８の回転は阻止される。従って、ロック部材７は、弾性体圧縮部材８に対して矢印１４４と逆方向に９０°回転する。すなわち、ロック部材７が係合解除状態から矢印１４４と逆方向に９０°回転する。
【０１４４】
なお、蓋部材１４を矢印１４４の方向へ回転操作しようとすると、ロック部材７の係合凸部７２、７３が、弾性体圧縮部材８の対応する係合凸部８２の突部８２３に当接し、これにより、前記蓋部材１４の回転、すなわち、ロック部材７の矢印１４４の方向への回転は、阻止される。
【０１４５】
図１４に示すように、ロック部材７が係合解除状態から矢印１４４と逆方向に９０°回転すると、係合凸部７２、８２同士と、係合凸部７３、８２同士とがそれぞれ係合し、ロック部材７と弾性体圧縮部材８は係合状態となる。これにより、コイルバネ１１が圧縮状態に保持される。
【０１４６】
また、ロック部材７が係合解除状態から矢印１４４と逆方向に９０°回転すると、ロック部材７の係合凸部７２、７３が、弾性体圧縮部材８の対応する係合凸部８２の突部８２３に当接し、これにより、前記蓋部材１４の回転、すなわち、ロック部材７の矢印１４４と逆方向への回転は、阻止される。これにより、容易かつ確実に係合状態とすることができる。
【０１４７】
これ以降の作用は、前述した［３］および［４］と同様なので、その説明は省略する。
【０１４８】
以上説明したように、この液体供給具１によれば、蓋部材１４のリブ１４２を把持し、それを操作してロック部材７を所定角度回転させることにより、ロック部材７と弾性体圧縮部材８の係合解除状態を得、コイルバネ１１によるガスケット５の押圧動作を開始させることができるので、その操作が極めて簡単である。また、誤って係合解除状態となるという誤動作も生じ難い。
【０１４９】
そして、液体供給具１では、ロック部材７の胴部７１、弾性体圧縮部材８および姿勢保持部材９が液体供給具本体１０内に設置されているので、再度、シリンジ２内に薬液Ｑを導入してそれを投与する場合でも、液体供給具本体１０内を無菌状態に保持することができる。
【０１５０】
また、液体供給具１は、薬液Ｑを供給するための機構として、モータやソレノイドのような電気的に駆動する機構等を備えておらず、そのため、構造が簡単で、故障も少なく、小型化、軽量化、低コスト化が図れる。
【０１５１】
特に、液体供給具１は、プランジャを有していないので、部品点数が少なく、また、構造が簡単で、小型化に有利であるとともに、操作が簡単である。
【０１５２】
このような液体供給具１は、医師、看護婦または患者自身が病院等の医療機関内で使用することもできるが、前述したように、小型、軽量であり、しかも、薬液Ｑの投与に至る操作を簡単、迅速に行うことができ、また、安全性も高く、衛生的であるという点から、患者自身が携帯し、自宅や職場等において使用するのにも適している。
【０１５３】
この場合、液体供給具１は、小型であるため、液体供給具を患者の身体に付けたり、衣服のポケット等に入れたりして携帯することができ、便利である。
【０１５４】
また、液体供給具１は、生体への薬液Ｑの投与に用いる場合に限らず、例えば、薬液Ｑを他の容器へ移送、特に薬液Ｑを輸液バッグ内や血液バッグ内に注入（配合）するのに適用することもでき、その使用目的は任意可能である。
【０１５５】
以上、本発明の液体供給具を図示の実施例に基づいて説明したが、本発明は、これに限定されず、液体供給具を構成する各部の構成は、同様の機能を発揮し得る任意のものに置換することができる。
【０１５６】
例えば、弾性体は、コイルバネに限らず、他の種類のバネや弾性材料で構成されたものであってもよい。
【０１５７】
【発明の効果】
以上述べたように、本発明の液体供給具によれば、操作手段を操作して規制手段により弾性体を圧縮状態に保持する規制を解除することにより、前記弾性体によるガスケットの押圧動作を開始させることができるので、液体の供給開始のための操作が極めて簡単である。
【０１５８】
そして、本発明の液体供給具では、前記規制手段が液体供給具本体内に設けられているので、再度、シリンジ内に液体を導入してそれを供給する場合でも、液体供給具本体内を無菌状態に保持することができる。特に、菌遮断手段を有している場合には、前記効果がより顕著である。
【０１５９】
また、本発明の液体供給具は、構成が簡易であり、小型化、軽量化にも寄与する。特に、プランジャを有していないので、部品点数が少なく、また、小型化に有利である。
【図面の簡単な説明】
【図１】本発明の液体供給具の実施例の外観を示す平面図である。
【図２】図１に示す液体供給具の先端部の縦断面図である。
【図３】本発明における液体供給具本体の基端部の構成を示す図（シリンジの縦断面、接続部材の平面およびキャップ状部材の縦断面）である。
【図４】本発明における液体供給具本体の基端側端面を示す図である。
【図５】本発明におけるロック部材および蓋部材の構成（平面および基端側端面）を示す図である。
【図６】本発明におけるロック部材の先端部を示す平面図である。
【図７】本発明におけるロック部材の先端部を示す底面図（図６の裏側を示す図）である。
【図８】本発明における弾性体圧縮部材の構成（平面および両端面）を示す図である。
【図９】図８中のＡ−Ａ線での断面図である。
【図１０】図８中のＢ−Ｂ線での断面図である。
【図１１】本発明における姿勢保持部材の構成（縦断面および先端側端面）を示す図である。
【図１２】図１に示す液体供給具の基端部側の縦断面図である。
【図１３】図１に示す液体供給具の使用状態を示す縦断面図である。
【図１４】図１に示す液体供給具の使用状態を示す縦断面図である。
【図１５】図１に示す液体供給具の使用状態を示す縦断面図である。
【図１６】図１に示す液体供給具の使用状態を示す縦断面図である。
【符号の説明】
１              液体供給具
１０            液体供給具本体
２              シリンジ
２１            導入口
２２            一方向弁
２３            排出口
２４            保持部材
２５            目盛
２６            雌螺子
３              ガスケット
３１            ガスケット本体
３２            突部
３３            ヘッド
３４            突起
３５            板
４              接続部材
４１、４２      雄螺子
４３            フランジ
５              キャップ状部材
５１            雌螺子
５２            突部
５３            突起
５４            リブ
５６            角部
５８            開口
６              規制手段
７              ロック部材
７１            胴部
７２            係合凸部
７２１          頂部
７２２          底部
７３            係合凸部
７３１          頂部
７３２          底部
７４            間隙
８              弾性体圧縮部材
８１            胴部
８２            係合凸部
８２１          頂部
８２２          底部
８２３          突部
８３            間隙
８４            フランジ
８５            突起
９              姿勢保持部材
９１            突部
１１            コイルバネ
１２            キャップ
１３            封止部材
１４            蓋部材
１４１、１４２  リブ
１４３          開口
１４４          矢印
１５            フィルター
Ｑ              薬液
【図１】
0003799182.tif 000002
【図２】
0003799182.tif 000003
【図３】
0003799182.tif 000004
【図４】
0003799182.tif 000005
【図５】
0003799182.tif 000006
【図６】
0003799182.tif 000007
【図７】
0003799182.tif 000008
【図８】
0003799182.tif 000009
【図９】
0003799182.tif 000010
【図１０】
0003799182.tif 000011
【図１１】
0003799182.tif 000012
【図１２】
0003799182.tif 000013
【図１３】
0003799182.tif 000014
【図１４】
0003799182.tif 000015
【図１５】
0003799182.tif 000016
【図１６】
0003799182.tif 000017